(57)【要約】【課題】距離検出の精度を高めることが可能な情報取得装置および物体検出装置を提供する。【解決手段】情報取得装置は、所定のドットパターンで投射されたレーザ光を投射し、ＣＭＯＳイメージセンサにより反射光を受光する。ＣＭＯＳイメージセンサの受光面には、複数のセグメント領域が重なり合うように設定されている。基準面で反射されたドットパターンに基づいて、各セグメント領域に含まれる探索用のドットパターンが設定される。実測時には、ＣＭＯＳイメージセンサ上のドットパターンから、各セグメント領域に含まれる探索用のドットパターンと一致する領域が探索される。このとき、隣り合うセグメント領域は、互いに１画素だけずれた状態で重なり合うようにして設定される。これにより、距離検出のための分解能が高められることとなり、距離検出の精度を高めることができる。【選択図】図９
2014132219.tif 000002
【特許請求の範囲】
【請求項１】
光を用いて目標領域の情報を取得する情報取得装置において、
前記目標領域に所定のドットパターンでレーザ光を投射する投射光学系と、
前記投射光学系に対して所定の距離だけ離れて並ぶように配置され、前記目標領域を撮像する撮像素子を有する受光光学系と、
前記撮像素子によって撮像される基準ドットパターンに複数のセグメント領域を設定し、実測時に前記撮像素子によって撮像された実測ドットパターンから前記セグメント領域に対応する対応領域を探索し、探索した前記対応領域の位置に基づいて、前記目標領域に存在する物体の３次元情報を取得する情報取得部と、を備え、
前記情報取得部は、前記複数のセグメント領域の少なくとも一部が、隣り合う前記セグメント領域と一部が重なり合うように、前記複数のセグメント領域を設定する、
ことを特徴とする情報取得装置。
【請求項２】
請求項１に記載の情報取得装置において、
隣り合う前記セグメント領域の重なり具合が、前記基準ドットパターン上の位置に応じて異なっている、
ことを特徴とする情報取得装置。
【請求項３】
請求項２に記載の情報取得装置において、
互いに重なり合う前記セグメント領域のずれ幅が、前記基準ドットパターンの周辺よりも中央の方が小さくなっている、
ことを特徴とする情報取得装置。
【請求項４】
請求項１ないし３の何れか一項に記載の情報取得装置において、
互いに重なり合う前記セグメント領域の左右方向のずれ幅と上下方向のずれ幅とが相違している、
ことを特徴とする情報取得装置。
【請求項５】
請求項１ないし３の何れか一項に記載の情報取得装置において、
前記セグメント領域は、左右方向と上下方向の何れか一方においてのみ、互いに重なっている、
ことを特徴とする情報取得装置。
【請求項６】
請求項１ないし５の何れか一項に記載の情報取得装置において、
互いに重なり合う２つの前記セグメント領域が、上下方向および左右方向の少なくとも何れか一方において、互いに１画素だけずれた状態となるように設定されている、
ことを特徴とする情報取得装置。
【請求項７】
請求項１ないし６の何れか一項に記載の情報取得装置において、
前記投射光学系は、レーザ光源と、前記レーザ光源から出射されたレーザ光を平行光に変換するコリメータレンズと、前記コリメータレンズによって平行光に変換された前記レーザ光を回折によりドットパターンの光に変換する回折光学素子と、を備える、
ことを特徴とする情報取得装置。
【請求項８】
請求項１ないし７の何れか一項に記載の情報取得装置を有する物体検出装置。
【発明の詳細な説明】
【技術分野】
【０００１】
本発明は、目標領域に光を投射したときの反射光の状態に基づいて目標領域内の物体を検出する物体検出装置、および、当該物体検出装置に用いて好適な情報取得装置に関する。
【背景技術】
【０００２】
従来、光を用いた物体検出装置が種々の分野で開発されている。いわゆる距離画像センサを用いた物体検出装置では、２次元平面上の平面的な画像のみならず、検出対象物体の奥行き方向の形状や動きを検出することができる。かかる物体検出装置では、レーザ光源やＬＥＤ（Light Emitting Diode）から、予め決められた波長帯域の光が目標領域に投射され、その反射光がＣＭＯＳイメージセンサ等の光検出器により受光（撮像）される。距離画像センサとして、種々のタイプのものが知られている。
【０００３】
所定のドットパターンを持つレーザ光を目標領域に照射するタイプの距離画像センサでは、ドットパターンを持つレーザ光の目標領域からの反射光が光検出器によって受光される。そして、ドットの光検出器上の受光位置に基づいて、三角測量法を用いて、検出対象物体の各部（検出対象物体上の各ドットの照射位置）までの距離が検出される（たとえば、非特許文献１）。
【先行技術文献】
【非特許文献】
【０００４】
【非特許文献１】第１９回日本ロボット学会学術講演会（２００１年９月１８−２０日）予稿集、Ｐ１２７９−１２８０
【発明の概要】
【発明が解決しようとする課題】
【０００５】
上記物体検出装置では、所定距離だけ離れた位置に基準面を配したときに光検出器により受光されるドットパターンと、実測時に光検出器により受光されるドットパターンとが比較されて、距離の検出が行われる。たとえば、基準面に対するドットパターンに複数の領域が設定される。物体検出装置は、各領域に含まれるドットが実測時に受光したドットパターン上のどの位置に移動したかに基づいて、領域毎に、対象物体までの距離を検出する。この場合、ドットパターンに設定される領域の数が多い程、対象物体までの距離を検出する際の分解能が増加し、距離検出の精度が高められる。
【０００６】
本発明は、この点に鑑みてなされたものであり、距離検出の精度を高めることが可能な情報取得装置および物体検出装置を提供することを目的とする。
【課題を解決するための手段】
【０００７】
本発明の第１の態様は、光を用いて目標領域の情報を取得する情報取得装置に関する。本態様に係る情報取得装置は、前記目標領域に所定のドットパターンでレーザ光を投射する投射光学系と、前記投射光学系に対して所定の距離だけ離れて並ぶように配置され、前記目標領域を撮像する撮像素子を有する受光光学系と、前記撮像素子によって撮像される基準ドットパターンに複数のセグメント領域を設定し、実測時に前記撮像素子によって撮像された実測ドットパターンから前記セグメント領域に対応する対応領域を探索し、探索した前記対応領域の位置に基づいて、前記目標領域に存在する物体の３次元情報を取得する情報取得部と、を備える。ここで、前記情報取得部は、前記複数のセグメント領域の少なくとも一部が、隣り合う前記セグメント領域と重なり合うように、前記複数のセグメン
ト領域を設定する。
【０００８】
本発明の第２の態様は、物体検出装置に関する。本態様に係る物体検出装置は、上記第１の態様に係る情報取得装置を有する。
【発明の効果】
【０００９】
本発明によれば、距離検出の精度を高めることが可能な情報取得装置および物体検出装置を提供することができる。
【００１０】
本発明の特徴は、以下に示す実施の形態の説明により更に明らかとなろう。ただし、以下の実施の形態は、あくまでも、本発明の一つの実施形態であって、本発明ないし各構成要件の用語の意義は、以下の実施の形態に記載されたものに制限されるものではない。
【図面の簡単な説明】
【００１１】
【図１】実施の形態に係る物体検出装置の概略構成を示す図である。
【図２】実施の形態に係る情報取得装置と情報処理装置の構成を示す図である。
【図３】実施の形態に係る投射光学系と受光光学系の設置状態を示す斜視図である。
【図４】実施の形態に係る投射光学系と受光光学系の構成を模式的に示す図である。
【図５】実施の形態に係る目標領域に対するレーザ光の照射状態を模式的に示す図およびＣＭＯＳイメージセンサにおけるレーザ光の受光状態を模式的に示す図である。
【図６】実施の形態に係る基準テンプレートの生成方法を説明する図である。
【図７】実施の形態に係る基準テンプレートのセグメント領域が実測時においてどの位置に変位したかを検出する手法を説明する図である。
【図８】実施の形態の比較例に係る距離検出の分解能について説明する図である。
【図９】実施の形態に係る距離検出の分解能について説明する図である。
【図１０】実施の形態に係るセグメント領域の設定処理を示すフローチャートである。
【図１１】実施の形態に係るセグメント領域に対するドットパターンの設定処理および実測時における距離検出の処理を示すフローチャートである。
【図１２】実施の形態に係る左右方向のずれ幅を上下方向のずれ幅よりも小さくする変更例を示す図である。
【図１３】実施の形態に係る左右方向の中央領域のずれ幅を左右方向の端部領域のずれ幅よりも小さくする変更例を示す図である。
【図１４】実施の形態に係る上下に隣り合うセグメント領域を互いに重なり合わないようにする変更例を示す図である。
【図１５】実施の形態に係る左右に隣り合うセグメント領域を互いに重なり合わないようにする変更例を示す図である。
【発明を実施するための形態】
【００１２】
以下、本発明の実施の形態につき図面を参照して説明する。本実施の形態には、所定のドットパターンを持つレーザ光を目標領域に照射するタイプの情報取得装置が例示されている。
【００１３】
まず、図１に本実施の形態に係る物体検出装置の概略構成を示す。図示の如く、物体検出装置は、情報取得装置１と、情報処理装置２とを備えている。テレビ３は、情報処理装置２からの信号によって制御される。なお、情報取得装置１と情報処理装置２とからなる装置が、本発明の物体検出装置に相当する。
【００１４】
情報取得装置１は、目標領域全体に赤外光を投射し、その反射光をＣＭＯＳイメージセンサにて受光することにより、目標領域にある物体各部の距離（以下、「３次元距離情報
」という）を取得する。取得された３次元距離情報は、ケーブル４を介して情報処理装置２に送られる。
【００１５】
情報処理装置２は、たとえば、テレビ制御用のコントローラやゲーム機、パーソナルコンピュータ等である。情報処理装置２は、情報取得装置１から受信した３次元距離情報に基づき、目標領域における物体を検出し、検出結果に基づきテレビ３を制御する。
【００１６】
たとえば、情報処理装置２は、受信した３次元距離情報に基づき人を検出するとともに、３次元距離情報の変化から、その人の動きを検出する。たとえば、情報処理装置２がテレビ制御用のコントローラである場合、情報処理装置２には、受信した３次元距離情報からその人のジェスチャを検出するとともに、ジェスチャに応じてテレビ３に制御信号を出力するアプリケーションプログラムがインストールされている。この場合、ユーザは、テレビ３を見ながら所定のジェスチャをすることにより、チャンネル切り替えやボリュームのＵｐ／Ｄｏｗｎ等、所定の機能をテレビ３に実行させることができる。
【００１７】
また、たとえば、情報処理装置２がゲーム機である場合、情報処理装置２には、受信した３次元距離情報からその人の動きを検出するとともに、検出した動きに応じてテレビ画面上のキャラクタを動作させ、ゲームの対戦状況を変化させるアプリケーションプログラムがインストールされている。この場合、ユーザは、テレビ３を見ながら所定の動きをすることにより、自身がテレビ画面上のキャラクタとしてゲームの対戦を行う臨場感を味わうことができる。
【００１８】
図２は、情報取得装置１と情報処理装置２の構成を示す図である。
【００１９】
情報取得装置１は、光学部の構成として、投射光学系１１と受光光学系１２とを備えている。この他、情報取得装置１は、回路部の構成として、ＣＰＵ（Central Processing Unit）２１と、レーザ駆動回路２２と、撮像信号処理回路２３と、入出力回路２４と、メ
モリ２５を備えている。
【００２０】
投射光学系１１は、所定のドットパターンのレーザ光を、目標領域に照射する。受光光学系１２は、目標領域から反射されたレーザ光を受光する。投射光学系１１と受光光学系１２の構成は、追って、図３、４を参照して説明する。
【００２１】
ＣＰＵ２１は、メモリ２５に格納された制御プログラムに従って各部を制御する。かかる制御プログラムによって、ＣＰＵ２１には、投射光学系１１内のレーザ光源１１１（後述）を制御するためのレーザ制御部２１ａと、３次元距離情報を生成するための３次元距離演算部２１ｂの機能が付与される。
【００２２】
レーザ駆動回路２２は、ＣＰＵ２１からの制御信号に応じてレーザ光源１１１（後述）を駆動する。撮像信号処理回路２３は、受光光学系１２内のＣＭＯＳイメージセンサ１２３（後述）を制御して、ＣＭＯＳイメージセンサ１２３で生成された各画素の信号（電荷）をライン毎に順次取り込む。そして、取り込んだ信号を順次ＣＰＵ２１に出力する。
【００２３】
ＣＰＵ２１は、撮像信号処理回路２３から供給される信号（撮像信号）をもとに、情報取得装置１から検出対象物の各部までの距離を、３次元距離演算部２１ｂによる処理によって算出する。入出力回路２４は、情報処理装置２とのデータ通信を制御する。
【００２４】
情報処理装置２は、ＣＰＵ３１と、入出力回路３２と、メモリ３３を備えている。なお、情報処理装置２には、同図に示す構成の他、テレビ３との通信を行うための構成や、ＣＤ−ＲＯＭ等の外部メモリに格納された情報を読み取ってメモリ３３にインストールする
ためのドライブ装置等が配されるが、便宜上、これら周辺回路の構成は図示省略されている。
【００２５】
ＣＰＵ３１は、メモリ３３に格納された制御プログラム（アプリケーションプログラム）に従って各部を制御する。かかる制御プログラムによって、ＣＰＵ３１には、画像中の物体を検出するための物体検出部３１ａの機能が付与される。かかる制御プログラムは、たとえば、図示しないドライブ装置によってＣＤ−ＲＯＭから読み取られ、メモリ３３にインストールされる。
【００２６】
たとえば、制御プログラムがゲームプログラムである場合、物体検出部３１ａは、情報取得装置１から供給される３次元距離情報から画像中の人およびその動きを検出する。そして、検出された動きに応じてテレビ画面上のキャラクタを動作させるための処理が制御プログラムにより実行される。
【００２７】
また、制御プログラムがテレビ３の機能を制御するためのプログラムである場合、物体検出部３１ａは、情報取得装置１から供給される３次元距離情報から画像中の人およびその動き（ジェスチャ）を検出する。そして、検出された動き（ジェスチャ）に応じて、テレビ３の機能（チャンネル切り替えやボリューム調整、等）を制御するための処理が制御プログラムにより実行される。
【００２８】
入出力回路３２は、情報取得装置１とのデータ通信を制御する。
【００２９】
図３は、投射光学系１１と受光光学系１２の設置状態を示す斜視図である。
【００３０】
投射光学系１１と受光光学系１２は、熱伝導性の高いベースプレート３００上に設置される。投射光学系１１を構成する光学部材は、シャーシ１１ａに設置され、このシャーシ１１ａがベースプレート３００上に設置される。これにより、投射光学系１１がベースプレート３００上に設置される。
【００３１】
受光光学系１２は、ベースプレート３００上の２つの台座３００ａの上面と、２つの台座３００ａの間のベースプレート３００の上面に設置される。２つの台座３００ａの間のベースプレート３００の上面には、後述するＣＭＯＳイメージセンサ１２３が設置され、台座３００ａの上面には保持板１２ａが設置され、この保持板１２ａに、後述するフィルタ１２１および撮像レンズ１２２を保持するレンズホルダ１２ｂが設置される。
【００３２】
投射光学系１１と受光光学系１２は、投射光学系１１の投射中心と受光光学系１２の撮像中心がＸ軸に平行な直線上に並ぶように、Ｘ軸方向に所定の距離をもって並んで設置されている。ベースプレート３００の裏面に、情報取得装置１の回路部（図２参照）を保持する回路基板２００（図４参照）が設置される。
【００３３】
ベースプレート３００の中央下部には、レーザ光源１１１の配線をベースプレート３００の背部に取り出すための孔３００ｂが形成されている。また、ベースプレート３００の受光光学系１２の設置位置の下部には、ＣＭＯＳイメージセンサ１２３のコネクタ１２ｃをベースプレート３００の背部に露出させるための開口３００ｃが形成されている。
【００３４】
図４は、本実施の形態に係る投射光学系１１と受光光学系１２の構成を模式的に示す図である。
【００３５】
投射光学系１１は、レーザ光源１１１と、コリメータレンズ１１２と、立ち上げミラー１１３と、回折光学素子（ＤＯＥ：Diffractive Optical Element）１１４を備えている
。また、受光光学系１２は、フィルタ１２１と、撮像レンズ１２２と、ＣＭＯＳイメージセンサ１２３とを備えている。
【００３６】
レーザ光源１１１は、波長８３０ｎｍ程度の狭波長帯域のレーザ光を出力する。レーザ光源１１１は、レーザ光の光軸がＸ軸に平行となるように設置される。コリメータレンズ１１２は、レーザ光源１１１から出射されたレーザ光を略平行光に変換する。コリメータレンズ１１２は、自身の光軸がレーザ光源１１１から出射されたレーザ光の光軸に整合するように設置される。立ち上げミラー１１３は、コリメータレンズ１１２側から入射されたレーザ光を反射する。レーザ光の光軸は、立ち上げミラー１１３によって９０°折り曲げられてＺ軸に平行となる。
【００３７】
ＤＯＥ１１４は、入射面に回折パターンを有する。回折パターンは、たとえば、ステップ型のホログラムにより構成される。この回折パターンによる回折作用により、立ち上げミラー１１３により反射されＤＯＥ１１４に入射したレーザ光は、ドットパターンのレーザ光に変換されて、目標領域に照射される。回折パターンは、目標領域において所定のドットパターンとなるように設計されている。
【００３８】
なお、レーザ光源１１１とコリメータレンズ１１２との間には、レーザ光の輪郭を円形にするためのアパーチャ（図示せず）が配される。なお、このアパーチャは、レーザ光源１１１の出射開口によって構成されても良い。
【００３９】
目標領域から反射されたレーザ光は、フィルタ１２１を透過して撮像レンズ１２２に入射する。
【００４０】
フィルタ１２１は、レーザ光源１１１の出射波長（８３０ｎｍ程度）を含む波長帯域の光を透過し、その他の波長帯域をカットする。撮像レンズ１２２は、フィルタ１２１を介して入射された光をＣＭＯＳイメージセンサ１２３上に集光する。撮像レンズ１２２は複数のレンズから構成され、所定のレンズとレンズとの間にアパーチャとスペーサが介挿されている。かかるアパーチャは、撮像レンズ１２２のＦナンバーに合うように、外部からの光に絞りを掛ける。
【００４１】
ＣＭＯＳイメージセンサ１２３は、撮像レンズ１２２にて集光された光を受光して、画素毎に、受光光量に応じた信号（電荷）を撮像信号処理回路２３に出力する。ここで、ＣＭＯＳイメージセンサ１２３は、各画素における受光から高レスポンスでその画素の信号（電荷）を撮像信号処理回路２３に出力できるよう、信号の出力速度が高速化されている。
【００４２】
フィルタ１２１は、受光面がＺ軸に垂直になるように配置される。撮像レンズ１２２は、光軸がＺ軸に平行となるように設置される。ＣＭＯＳイメージセンサ１２３は、受光面がＺ軸に垂直になるように設置される。また、フィルタ１２１の中心とＣＭＯＳイメージセンサ１２３の受光領域の中心が撮像レンズ１２２の光軸上に並ぶように、フィルタ１２１、撮像レンズ１２２およびＣＭＯＳイメージセンサ１２３が配置される。
【００４３】
投射光学系１１と受光光学系１２は、図３を参照して説明したように、ベースプレート３００に設置されている。ベースプレート３００の下面には、さらに、回路基板２００が設置され、この回路基板２００から、レーザ光源１１１およびＣＭＯＳイメージセンサ１２３に配線（フレキシブル基板）２０１、２０２が接続されている。回路基板２００には、図２に示すＣＰＵ２１やレーザ駆動回路２２等の情報取得装置１の回路部が実装されている。
【００４４】
図５（ａ）は、目標領域に対するレーザ光の照射状態を模式的に示す図であり、図５（ｂ）は、ＣＭＯＳイメージセンサ１２３におけるレーザ光の受光状態を模式的に示す図である。なお、同図（ｂ）には、便宜上、目標領域に平坦な面（スクリーン）が存在するときの受光状態が示されている。
【００４５】
同図（ａ）に示すように、投射光学系１１からは、ドットパターンを持ったレーザ光（以下、このパターンを持つレーザ光の全体を「ＤＰ光」という）が、目標領域に向けて照射される。同図（ａ）には、ＤＰ光の投射領域が実線の枠によって示されている。ＤＰ光の光束中には、回折光学素子による回折作用によってレーザ光の強度が高められたドット領域（以下、単に「ドット」という）が、回折光学素子の回折作用によるドットパターンに従って点在している。目標領域に平坦な面（スクリーン）が存在すると、これにより反射されたＤＰ光は、同図（ｂ）のように、ＣＭＯＳイメージセンサ１２３上に分布する。
【００４６】
ここで、図６（ａ）、（ｂ）を参照して、距離検出に用いられる基準パターンについて説明する。
【００４７】
図６（ａ）を参照して、基準パターンの生成時には、投射光学系１１から所定の距離Ｌｓの位置に、Ｚ軸方向に垂直な平坦な反射平面ＲＳが配置される。レーザ光源１１１の温度は、所定の温度（基準温度）に維持される。この状態で、投射光学系１１からＤＰ光が所定時間Ｔｅだけ出射される。出射されたＤＰ光は、反射平面ＲＳによって反射され、受光光学系１２のＣＭＯＳイメージセンサ１２３に入射する。これにより、ＣＭＯＳイメージセンサ１２３から、画素毎の電気信号が出力される。出力された画素毎の電気信号の値（画素値）が、図２のメモリ２５上に展開される。
【００４８】
こうしてメモリ２５上に展開された画素値に基づいて、図６（ｂ）に示すように、ＣＭＯＳイメージセンサ１２３上におけるＤＰ光の照射領域を規定する基準パターン領域が設定される。
【００４９】
次に、図６（ｂ）を参照して、基準パターン領域に設定されるセグメント領域（比較例）について説明する。
【００５０】
比較例では、上述したように設定された基準パターン領域が、縦横に区分されてセグメント領域が設定される。各セグメント領域は、他の全てのセグメント領域と同じサイズである。このとき、各セグメント領域には、固有のパターンでドットが点在するため、セグメント領域の画素値のパターンは、セグメント領域毎に異なっている。こうして、各セグメント領域に対して、当該セグメント領域に含まれる各画素の画素値が割り当てられる。
【００５１】
比較例では、ＣＭＯＳイメージセンサ１２３上における基準パターン領域の位置に関する情報と、基準パターン領域に含まれる全画素の画素値（基準パターン）と、基準パターン領域をセグメント領域に分割するための情報が、基準テンプレートとなる。なお、基準パターン領域に含まれる全画素の画素値（基準パターン）は、基準パターン領域に含まれるＤＰ光のドットパターンに相応するものになる。また、基準パターン領域に含まれる全画素の画素値（基準パターン）のマッピング領域をセグメント領域に区分することで、各セグメント領域に含まれる画素の画素値が取得される。
【００５２】
なお、この場合の基準テンプレートは、さらに、各セグメント領域に含まれる画素の画素値を、予めセグメント領域毎に保持していても良い。
【００５３】
構成された基準テンプレートは、図２のメモリ２５に、消去不可能な状態で保持される。こうしてメモリ２５に保持された基準テンプレートは、投射光学系１１から検出対象物
体の各部までの距離を算出する際にＣＰＵ２１により参照される。
【００５４】
たとえば、図６（ａ）に示すように、距離Ｌｓよりも近い位置に物体がある場合、基準パターン上の所定のセグメント領域Ｓｎに対応するＤＰ光（ＤＰｎ）は、物体によって反射され、セグメント領域Ｓｎとは異なる領域Ｓｎ’に入射する。投射光学系１１と受光光学系１２はＸ軸方向に隣り合っているため、セグメント領域Ｓｎに対する領域Ｓｎ’の変位方向はＸ軸に平行となる。図６（ａ）の場合、物体が距離Ｌｓよりも近い位置にあるため、領域Ｓｎ’は、セグメント領域Ｓｎに対してＸ軸正方向に変位する。物体が距離Ｌｓよりも遠い位置にあれば、領域Ｓｎ’は、セグメント領域Ｓｎに対してＸ軸負方向に変位する。
【００５５】
セグメント領域Ｓｎに対する領域Ｓｎ’の変位方向と変位量をもとに、投射光学系１１からＤＰ光（ＤＰｎ）が照射された物体の部分までの距離Ｌｒが、距離Ｌｓを用いて、三角測量法に基づき算出される。同様にして、他のセグメント領域に対応する物体の部分について、投射光学系１１からの距離が算出される。かかる算出手法の詳細は、たとえば、上記非特許文献１（第１９回日本ロボット学会学術講演会（２００１年９月１８−２０日）予稿集、Ｐ１２７９−１２８０）に示されている。
【００５６】
かかる距離算出では、基準テンプレートのセグメント領域Ｓｎが、実測時においてどの位置に変位したかを検出する必要がある。この検出は、実測時にＣＭＯＳイメージセンサ１２３上に照射されたＤＰ光のドットパターンと、セグメント領域Ｓｎに含まれるドットパターンとを照合することによって行われる。
【００５７】
図７は、図６（ｂ）に示すセグメント領域（比較例）を用いて、かかる検出の手法を説明する図である。同図（ａ）は、ＣＭＯＳイメージセンサ１２３上における基準パターン領域とセグメント領域の設定状態を示す図、同図（ｂ）は、実測時におけるセグメント領域の探索方法を示す図、同図（ｃ）は、実測されたＤＰ光のドットパターンと、基準テンプレートのセグメント領域に含まれるドットパターンとの照合方法を示す図である。
【００５８】
たとえば、同図（ａ）のセグメント領域Ｓ１の実測時における変位位置を探索する場合、同図（ｂ）に示すように、セグメント領域Ｓ１が、範囲Ｐ１〜Ｐ２において、Ｘ軸方向に１画素ずつ送られ、各送り位置において、セグメント領域Ｓ１のドットパターンと、実測されたＤＰ光のドットパターンのマッチング度合いが求められる。この場合、セグメント領域Ｓ１は、基準パターン領域の最上段のセグメント領域群を通るラインＬ１上のみをＸ軸方向に送られる。これは、上記のように、通常、各セグメント領域は、実測時において、基準テンプレートにより設定された位置からＸ軸方向にのみ変位するためである。すなわち、セグメント領域Ｓ１は、最上段のラインＬ１上にあると考えられるためである。このように、Ｘ軸方向にのみ探索を行うことで、探索のための処理負担が軽減される。
【００５９】
なお、実測時には、検出対象物体の位置によっては、セグメント領域が基準パターン領域の範囲からＸ軸方向にはみ出すことが起こり得る。このため、範囲Ｐ１〜Ｐ２は、基準パターン領域のＸ軸方向の幅よりも広く設定される。
【００６０】
上記マッチング度合いの検出時には、ラインＬ１上に、セグメント領域Ｓ１と同じサイズの領域（比較領域）が設定され、この比較領域とセグメント領域Ｓ１との間の類似度が求められる。すなわち、セグメント領域Ｓ１の各画素の画素値と、比較領域の対応する画素の画素値との差分が求められる。そして、求めた差分を比較領域の全ての画素について加算した値Ｒｓａｄが、類似度を示す値として取得される。
【００６１】
たとえば、図７（ｃ）のように、一つのセグメント領域中に、ｍ列×ｎ行の画素が含ま
れている場合、セグメント領域のｉ列、ｊ行の画素の画素値Ｔ（ｉ，ｊ）と、比較領域のｉ列、ｊ行の画素の画素値Ｉ（ｉ，ｊ）との差分が求められる。そして、セグメント領域の全ての画素について差分が求められ、その差分の総和により、値Ｒｓａｄが求められる。すなわち、値Ｒｓａｄは、次式により算出される。
【００６２】
【数１】
2014132219.tif 000003
【００６３】
値Ｒｓａｄが小さい程、セグメント領域と比較領域との間の類似度が高い。
【００６４】
探索時には、比較領域が、ラインＬ１上を１画素ずつずらされつつ順次設定される。そして、ラインＬ１上の全ての比較領域について、値Ｒｓａｄが求められる。求めた値Ｒｓａｄの中から、閾値より小さいものが抽出される。閾値より小さい値Ｒｓａｄが無ければ、セグメント領域Ｓ１の探索はエラーとされる。そして、抽出されたＲｓａｄの中で最も値が小さいものに対応する比較領域が、セグメント領域Ｓ１の移動領域であると判定される。ラインＬ１上のセグメント領域Ｓ１以外のセグメント領域も、上記と同様の探索が行われる。また、他のライン上のセグメント領域も、上記と同様、そのライン上に比較領域が設定されて、探索が行われる。
【００６５】
こうして、実測時に取得されたＤＰ光のドットパターンから、各セグメント領域の変位位置が探索されると、上記のように、その変位位置に基づいて、三角測量法により、各セグメント領域に対応する検出対象物体の部位までの距離が求められる。
【００６６】
ここで、比較例の場合の距離検出の分解能について説明する。
【００６７】
図８（ａ）を参照して、比較例では、上述したように、基準パターン領域を縦横に区分することによりセグメント領域が設定されている。たとえば、図示の如く、セグメント領域Ｓｐの右隣りには、セグメント領域Ｓｐ＋１が設定されている。なお、ここでは、各セグメント領域に５×５の画素が含まれているとする。
【００６８】
上述したように、セグメント領域Ｓｐ、Ｓｐ＋１が決定されると、セグメント領域Ｓｐの中心Ｏｐと、セグメント領域Ｓｐ＋１の中心Ｏｐ＋１との間隔は、セグメント領域の分割間隔に相当する５画素となる。同様に、上下に隣接するセグメント領域の中心間隔も５画素となる。
【００６９】
このようにセグメント領域が決定されると、対象物体に対する距離は、上下左右に５画素に対応する間隔で検出されることになる。すなわち、図８（ｂ）に示す如く、円で概念的に示される位置が、距離を検出できる一つの位置となり、これが距離検出の分解能となる。ここでは、セグメント領域が、５×５の画素を含む領域とされたが、セグメント領域に含まれるドットの数を増加させてマッチングの精度を高めるために、セグメント領域の大きさを大きくすると、対象物体に対する距離検出の間隔はさらに広くなり、距離検出の分解能はさらに粗くなる。よって、比較例の場合、距離検出の精度が十分に得られない惧れがある。
【００７０】
そこで、本実施の形態では、基準パターン領域を縦横に分割することにより各セグメン
ト領域を設定するのではなく、所定の大きさの領域を、基準パターン領域上で１画素ずつずらすことにより各セグメント領域が設定される。
【００７１】
たとえば、図９（ａ）に示すように、本実施の形態のセグメント領域Ｓｐの右側には、セグメント領域Ｓｐを１画素だけ右側にずらした領域に、セグメント領域Ｓｐ＋１が設定される。同様に、セグメント領域Ｓｐの左側、上側、下側にも、それぞれ、セグメント領域Ｓｐを１画素だけ左側、上側、下側にずらした領域に、対応するセグメント領域が設定される。なお、ここでは、各セグメント領域に５×５の画素が含まれているとする。
【００７２】
この場合も、１つのセグメント領域におけるドットの点在パターンは、他の全てのセグメント領域におけるドットの点在パターンと相違するよう基準パターン領域のドットパターンが設定される。このため、各セグメント領域は、ドットの点在パターンをもって、他の全てのセグメント領域から区別可能となっている。
【００７３】
本実施の形態では、セグメント領域Ｓｐの中心Ｏｐと、セグメント領域Ｓｐ＋１の中心Ｏｐ＋１の間隔は、セグメント領域のずれ幅に相当する１画素となる。同様に、上下に隣接するセグメント領域の中心間隔も１画素となる。
【００７４】
このようにセグメント領域が決定されると、対象物体に対する距離は、上下左右に１画素に対応する距離で検出されることになる。すなわち、図９（ｂ）に示す如く、円で概念的に示される位置が、距離を検出できる一つの位置となり、これが距離検出の分解能となる。
【００７５】
なお、本実施の形態では、ＣＭＯＳイメージセンサ１２３上における基準パターン領域の位置に関する情報と、基準パターン領域に含まれる全画素の画素値（基準パターン）と、セグメント領域の縦横の幅に関する情報と、セグメント領域の間隔（ずれ幅）に関する情報が、基準テンプレートとなる。本実施の形態においても、基準テンプレートが、図２のメモリ２５に、消去不可能な状態で保持される。こうしてメモリ２５に保持された基準テンプレートは、投射光学系１１から検出対象物体の各部までの距離を算出する際にＣＰＵ２１により参照される。
【００７６】
たとえば、図１０に示すように、最初の探索に用いるセグメント領域は、基準テンプレートに含まれるセグメント領域の縦横の幅に関する情報に基づいて、基準パターン領域の探索開始位置（左上の角）に設定される。すなわち、基準パターン領域の左上の角を頂点とし、上記縦横の幅を２つの辺の長さとする四角形の領域が、最初のセグメント領域として設定される（Ｓ１）。なお、基準テンプレートに含まれる縦横幅は、画素間隔の整数倍である。設定された最初のセグメント領域に含まれる画素の画素値が基準テンプレートから抽出され、当該セグメントに対するマッチング処理に用いられる（Ｓ２）。
【００７７】
次の探索に用いるセグメント領域は、最初のセグメント領域の設定に用いた四角形の領域を、セグメント領域の間隔（ずれ）に関する情報に基づいて右側にずらすことにより設定される（Ｓ４）。このセグメント領域に含まれる基準パターン領域内の画素の画素値が抽出され、当該セグメントに対するマッチング処理に用いられる（Ｓ２）。
【００７８】
こうして、基準パターン領域の最上段のラインの右端までセグメント領域が設定されると（Ｓ３：ＹＥＳ）、最上段のラインをずれ幅（１画素）だけ下にずらして次の段のラインが設定される（Ｓ６）。そして、設定されたラインの左端に、上記縦横の幅を２つの辺の長さとする四角形の領域が設定され、この領域が最初のセグメント領域として設定される（Ｓ７）。設定されたセグメント領域に含まれる画素の画素値が基準テンプレートから抽出される（Ｓ２）。さらに、２段目のラインにおいて、上記と同様、四角形の領域を１
画素ずつ順次右に移動させて、セグメント領域が設定される（Ｓ４）。２段目のラインの右端までセグメントの設定が終了すると（Ｓ３：ＹＥＳ）、上記と同様にして、２段目のラインから１画素だけ下にずらした３段目のラインに対するセグメント領域の設定が行われる（Ｓ６、Ｓ７）。こうして、基準パターン領域の最下段のラインまでセグメント領域の設定が行われる（Ｓ５：ＹＥＳ）。
【００７９】
本実施の形態では、実測時に、各セグメント領域が基準テンプレートに基づいて設定され、各セグメント領域に含まれる画素の画素値が抽出される。なお、各セグメント領域に含まれる画素の画素値が、予め、セグメント領域毎に、基準テンプレートに保持されていても良い。
【００８０】
また、上記では、四角形の領域を１画素ずつずらすことによりセグメント領域が設定されたが、予め、基準パターン領域上における各セグメント領域の位置を示す情報が基準テンプレートに保持されていても良い。この場合、各セグメント領域の位置は、各セグメント領域の左上の角の点として設定される。たとえば、基準パターン領域の左上を原点とし、この原点に対する横方向（右方向）および縦方向（下方向）の画素数によって、各セグメント領域の位置が設定される。
【００８１】
図１１（ａ）は、セグメント領域に対するドットパターンの設定処理を示すフローチャートである。かかる処理は、情報取得装置１の起動時または距離検出が開始されたときに行われる。
【００８２】
なお、この場合の基準テンプレートには、基準パターン領域（図６（ｂ）参照）に対して、個々のセグメント領域を割り当てるための情報が含まれている。具体的には、基準テンプレートには、各セグメント領域の大きさ（縦横幅）を示す情報の他、各セグメント領域の基準パターン領域上の位置を示す情報がさらに含まれている。ここでは、基準パターン領域に対してＮ個のセグメント領域が割り当てられ、これらセグメント領域には１〜Ｎまでの通し番号が付けられているものとする。セグメント領域の位置を示す情報は、上下左右のセグメント領域が互いに重なり合う（ここでは、１画素だけずれる）ように設定されている。
【００８３】
情報取得装置１のＣＰＵ２１は、まず、メモリ２５に保持されている基準テンプレートから、ＣＭＯＳイメージセンサ１２３上における基準パターン領域の位置に関する情報と、基準パターン領域に含まれる全画素の画素値を読み出す（Ｓ１１）。続いて、ＣＰＵ２１は、変数ｋに１をセットする（Ｓ１２）。
【００８４】
次に、ＣＰＵ２１は、メモリ２５に保持されている基準テンプレートから、ｋ番目のセグメント領域Ｓｋの縦横の幅に関する情報と、セグメント領域Ｓｋの位置に関する情報を取得する（Ｓ１３）。続いて、ＣＰＵ２１は、基準パターン領域に含まれる全画素の画素値と、Ｓ１３で取得したセグメント領域Ｓｋの情報から、探索に用いるドットパターンＤｋを設定する（Ｓ１４）。具体的には、ＣＰＵ２１は、基準パターンの全画素の画素値のうち、セグメント領域Ｓｋに含まれるドットパターンの画素値を取得し、これを探索用のドットパターンＤｋとする。
【００８５】
次に、ＣＰＵ２１は、ｋの値がＮに等しいかを判定する（Ｓ１５）。全てのセグメント領域について探索に用いるドットパターンが設定されて、ｋの値がＮになると（Ｓ１５：ＹＥＳ）、処理が終了する。他方、ｋの値がＮに到達していないと（Ｓ１５：ＮＯ）、ＣＰＵ２１は、ｋの値を１増やして（Ｓ１６）、処理をＳ１３に戻す。こうして、探索に用いるＮ個のドットパターンが順次設定される。
【００８６】
図１１（ｂ）は、実測時における距離検出の処理を示すフローチャートである。かかる処理は、図１１（ａ）の処理により設定された探索用のドットパターンを用いて行われ、図１１（ａ）の処理と並行して行われる。
【００８７】
情報取得装置１のＣＰＵ２１は、まず、変数ｃに１をセットする（Ｓ２１）。次に、ＣＰＵ２１は、実測時に受光したＣＭＯＳイメージセンサ１２３上のドットパターンから、図１１（ａ）のＳ１４で設定したｃ番目の探索用のドットパターンＤｃと一致する領域を探索する（Ｓ２２）。かかる探索は、セグメント領域Ｓｃに対応する位置に対して左右方向に所定の幅を有する領域に対して行われる。探索用のドットパターンＤｃと一致する領域があれば、ＣＰＵ２１は、一致した領域がセグメント領域Ｓｃの位置から左右どちらの方向にどれだけの距離を移動したかを検出し、検出した移動方向と移動距離を用いて、三角測量法に基づきセグメント領域Ｓｃに位置する物体の距離を算出する（Ｓ２３）。
【００８８】
次に、ＣＰＵ２１は、ｃの値がＮに等しいかを判定する（Ｓ２４）。全てのセグメント領域について距離の算出が行われ、ｃの値がＮになると（Ｓ２４：ＹＥＳ）、処理が終了する。他方、ｃの値がＮに到達していないと（Ｓ２４：ＮＯ）、ＣＰＵ２１は、ｃの値を１増やして（Ｓ２５）、処理をＳ２２に戻す。こうして、セグメント領域に対応する検出対象物体までの距離が求められる。
【００８９】
以上、本発明の実施の形態によれば、図９（ａ）に示すように、隣り合う２つのセグメント領域が、互いに１画素だけずれた状態で重なり合うようにして、各セグメント領域が設定されるため、図９（ｂ）に示すように、ＣＭＯＳイメージセンサ１２３によって検出できる対象物体の距離も、１画素に対応する間隔で検出される。これにより、距離検出のための分解能が高められることとなり、距離検出の精度を高めることができる。
【００９０】
以上、本発明の実施の形態について説明したが、本発明は、上記実施の形態に何ら制限されるものではなく、また、本発明の実施の形態も上記の他に種々の変更が可能である。
【００９１】
たとえば、上記実施の形態では、光検出器として、ＣＭＯＳイメージセンサ１２３を用いたが、これに替えて、ＣＣＤイメージセンサを用いることもできる。
【００９２】
また、上記実施の形態では、図９（ａ）に示すように、隣り合う２つのセグメント領域は、互いに１画素だけずれた状態で重なり合うようにして設定されたが、これに限らず、隣り合う２つのセグメント領域の重なりは、適宜変更されても良い。たとえば、隣り合う２つのセグメント領域は、互いに２画素だけずれた状態で重なり合うようにして設定されても良い。
【００９３】
また、上記実施の形態では、上下および左右に隣り合うセグメント領域間のずれ幅が一律１画素とされたが、基準パターン領域上の位置に応じて隣り合うセグメント領域間のずれ幅を変化させても良い。たとえば、左右に隣り合うセグメント領域のずれ幅（重なり度合い）と、上下に隣り合うセグメント領域のずれ幅（重なり度合い）が異なるようにしても良い。左右方向の分解能を上下方向よりも高めたい場合は、たとえば図１２（ａ）、（ｂ）に示すように、左右方向のずれ幅を上下方向よりも小さくしても良い。また、たとえば図１３（ａ）、（ｂ）、（ｃ）に示すように、物体が位置付けられやすい左右方向の中央領域では、隣り合うセグメント領域間のずれ幅を小さくして分解能を高め、図１３（ａ）、（ｄ）、（ｅ）に示すように、物体が位置付けられにくい左右方向の端部領域では、隣り合うセグメント領域間のずれ幅を大きくして、処理負担の軽減を図るようにしても良い。
【００９４】
また、上記実施の形態では、左右のみならず、上下に隣り合うセグメント領域も、互い
に重なり合うようにしたが、たとえば図１４（ａ）、（ｂ）に示すように、上下に隣り合うセグメント領域は互いに重なり合わないようにしても良く、また、たとえば図１５（ａ）、（ｂ）に示すように、左右に隣り合うセグメント領域が互いに重なり合わないようにしても良い。また、基準パターン領域上の所定の領域においては、隣り合うセグメント領域が互いに重ならないようにしても良く、隣り合うセグメント領域間の重なり具合（重ならないことも含む）が、基準パターン領域上において変えられても良い。
【００９５】
さらに、上記実施の形態では、セグメント領域の大きさを一定としたが、たとえば、基準パターン領域を複数の領域に区分し、区分した領域毎に、セグメント領域の大きさを変えても良い。
【００９６】
この他、本発明の実施の形態は、特許請求の範囲に示された技術的思想の範囲内において、適宜、種々の変更が可能である。
【符号の説明】
【００９７】
１  情報取得装置
１１  投射光学系
１２  受光光学系
２１  ＣＰＵ（情報取得部）
２１ｂ  ３次元距離演算部（情報取得部）
２３  撮像信号処理回路（情報取得部）
１１１  レーザ光源
１１２  コリメータレンズ
１１４  ＤＯＥ（回折光学素子）
１２２  撮像レンズ（集光レンズ）
１２３  ＣＭＯＳイメージセンサ（撮像素子）
【図１】
2014132219.tif 000004
【図２】
2014132219.tif 000005
【図３】
2014132219.tif 000006
【図４】
2014132219.tif 000007
【図５】
2014132219.tif 000008
【図６】
2014132219.tif 000009
【図７】
2014132219.tif 000010
【図８】
2014132219.tif 000011
【図９】
2014132219.tif 000012
【図１０】
2014132219.tif 000013
【図１１】
2014132219.tif 000014
【図１２】
2014132219.tif 000015
【図１３】
2014132219.tif 000016
【図１４】
2014132219.tif 000017
【図１５】
2014132219.tif 000018